(57)【特許請求の範囲】
【請求項１】
時計のケースと、先カンと、バンドの連結端部と、前記ケースに係合して前記連結端部および前記先カンに挿通され両者の相対的な回動を許す軸部材とを含むと共に、
前記連結端部の少なくとも前記バンドの表側方向への回動範囲を前記連結端部の上面と前記先カンとが接触しないように制限する規制手段を前記先カンおよび前記連結端部の表側部分の背後に設けたことを特徴とするバンドとケースの連結構造。
【請求項２】
時計のケースと、先カンと、バンドの連結端部と、前記ケースに係合して前記連結端部および前記先カンに挿通され両者の相対的な回動を許す軸部材とを含むと共に、
前記腕時計の背後において前記先カンと前記連結端部とを当接させて前記連結端部の少なくとも前記バンドの表側方向への回動範囲を前記連結端部の上面と前記先カンとが接触しないように制限する規制手段を備えたことを特徴とするバンドとケースの連結構造。
【請求項３】
時計のケースと、先カンと、バンドの連結端部と、前記ケースに係合して前記連結端部および前記先カンに挿通され両者の相対的な回動を許す軸部材とを含むと共に、
前記先カンと前記連結端部との当接により前記連結端部の少なくとも前記バンドの表側方向への回動範囲を前記連結端部の上面と前記先カンとが接触しないように制限する規制手段を前記軸部材の廻りに沿って設けたことを特徴とするバンドとケースの連結構造。
【請求項４】
前記規制手段は、前記連結端部の裏側方向への回動範囲をも制限していることを特徴とする請求項１から３のいずれかに記載のバンドとケースの連結構造。
【請求項５】
前記規制手段は、前記連結端部と前記先カンとの係合部であることを特徴とする請求項１から４のいずれかに記載のバンドとケースの連結構造。
【請求項６】
前記係合部は前記連結端部および前記先カンの、前記軸部材を囲む挿通部にそれぞれ形成されていることを特徴とする請求項５に記載のバンドとケースの連結構造。
【請求項７】
前記係合部は前記連結端部および前記先カンの側端に設けられた互いに入り組んだ凹凸形状をなし、前記回動範囲の少なくとも一方の端部においては凹部の側面と凸部の側面とが当接することを特徴とする請求項５または６に記載のバンドとケースの連結構造。
【請求項８】
前記係合部は前記先カンに設けた凸部と前記連結端部に設けた凹部とより成ることを特徴とする請求項７に記載のバンドとケースの連結構造。
【請求項９】
前記係合部は前記連結端部に設けた凸部と前記先カンに設けた凹部とより成ることを特徴とする請求項７に記載のバンドとケースの連結構造。
【請求項１０】
前記係合部は前記先カンに設けた凸部と前記連結端部の内壁面とより成ることを特徴とする請求項５に記載のバンドとケースの連結構造。
【請求項１１】
前記係合部は前記連結端部に設けた凸部と前記先カンの内壁面とより成ることを特徴とする請求項５に記載のバンドとケースの連結構造。
【請求項１２】
時計のケースと、先カンと、バンドの連結端部と、前記ケースに係合して前記連結端部および前記先カンに挿通され両者の相対的な回動を許す軸部材とを含むと共に、
前記先カンの両端に位置して前記軸部材を挿通保持する挿通部が、裏側において架橋部によって連結されていることを特徴とする請求項１から１１のいずれかに記載のバンドとケースの連結構造。
【請求項１３】
前記架橋部は前記ケースの裏蓋の外形に対応した凹形状部を有することを特徴とする請求項１２に記載のバンドとケースの連結構造。
【請求項１４】
前記ケースの裏面には前記架橋部を沈める浚い部を有することを特徴とする請求項１２または１３のいずれかに記載のバンドとケースの連結構造。
【発明の詳細な説明】
【０００１】
【発明の属する技術分野】
本発明は時計ケースとバンドとの連結構造に関する。詳しくは、連結部での傷の発生を防止できる改良された連結構造に関する。
【０００２】
【従来の技術】
従来の腕時計ケースとバンドの連結構造の一例は、実開平１−１７７５１１号に開示されている。その第１図と実質的に同一である、一般的な周知の従来例を図１の斜視図に示す。なお本図は後述する本発明の実施の形態とも外観的には共通しているものである。
腕時計のケース１はバンド取付部１１を有し、そのコ字型の部分に開口部３２を有する先カン３と、バンド２の連結端部４（開口部３２に挿入される）が挿入され、本図では図示しない軸部材（バネ棒など）により３者が連結されている。その結果、先カン３はケース１に対してほとんど回動し得ないが、連結端部４は前記軸部材のまわりにある程度の回動が可能である。なおバンド２は多数の駒本体２１を連結駒２２で繋いだものである。連結端部４は最もケース寄りの駒本体と軸部材を繋いでいるので、連結駒の特殊なものであるともみなせる。また先カン３の役割は、バンドとケースの継ぎ目を隠し美観とデザインを向上させることが主である。
【０００３】
さて上記従来例の有する問題点について述べる。連結端部４は上述のようにケース１および先カン３に対して回動可能であるが、その範囲は連結端部４と先カン３とが自然に当接することで主に制限されている。特にバンド２が表側の方向に曲げられるとき、回動範囲の端では連結端部４の上面と先カンの開口部３２の下縁とが当接する。その回数が度重なりあるいは圧接力が大きいと連結端部４の上面に傷がつくようになる。この傷は腕に時計が装着された状態では開口部と連結端部の隙間が開くので比較的よく目立つ。殊に梨地仕上げや暗色のバンドにおいては傷が光ることが著しく、時計の使用期間中に美観を失う要因となっている。店頭での商品展示においても微細な傷がついて商品価値を下げる恐れもなしとしない。
【０００４】
【発明が解決しようとする課題】
本発明の目的は、先カンを用いた時計ケースへのバンドの連結構造において、バンドの表側への回動によりバンド上面に傷が付く従来技術の欠点を防止し、しかも新たな美観上の欠点を伴わず、簡素な構造で製造コストの上昇もないような連結構造を提供することである。
【０００５】
【課題を解決するための手段】
時計のケースと、先カンと、バンドの連結端部と、前記ケースに係合して前記連結端部および前記先カンに挿通され両者の相対的な回動を許す軸部材とを含むバンドとケースの連結構造に対して、下記（１）〜（３）の諸特徴を適用することである。
（１）連結端部の少なくとも前記バンドの表側方向への回動範囲を前記連結端部の上面と前記先カンとが接触しないように制限する規制手段を先カンおよび連結端部の表側部分の背後に設けたこと。
（２）腕時計の背後において先カンと連結端部とを当接させて連結端部の少なくとも前記バンドの表側方向への回動範囲を前記連結端部の上面と前記先カンとが接触しないように制限する規制手段を備えたこと。
（３）先カンと連結端部との当接により連結端部の少なくとも前記バンドの表側方向への回動範囲を前記連結端部の上面と前記先カンとが接触しないように制限する規制手段を軸部材の廻りに沿って設けたこと。
【０００６】
さらに、下記のうち選択された１つあるいは適宜組み合わされた複数の諸特徴を適用することが好ましい。
（４）規制手段は、連結端部の裏側方向への回動範囲をも制限していること。
（５）規制手段は、連結端部と先カンとの係合部であること。
（６）係合部は連結端部および先カンの、軸部材を囲む挿通部にそれぞれ形成されていること。
（７）係合部は連結端部および先カンの側端に設けられた互いに入り組んだ凹凸形状をなし、回動範囲の少なくとも一方の端部においては凹部の側面と凸部の側面とが当接すること。
（８）係合部は先カンに設けた凸部と連結端部に設けた凹部とより成ること。
（９）係合部は連結端部に設けた凸部と先カンに設けた凹部とより成ること。
（１０）係合部は先カンに設けた凸部と連結端部の内壁面とより成ること。
（１１）係合部は連結端部に設けた凸部と先カンの内壁面とより成ること。
【０００７】
また、本発明は、時計のケースと、先カンと、バンドの連結端部と、前記ケースに係合して前記連結端部および前記先カンに挿通され両者の相対的な回動を許す軸部材とを含むと共に、前記連結端部の少なくとも前記バンドの表側方向への回動範囲を前記バンドの表側表面と前記先カンとが接触しないように制限する規制手段を前記先カンおよび前記連結端部の表側部分の背後に設けたことを特徴とするバンドとケースの連結構造に下記の諸特徴を適用することでもある。
（１２）先カンの両端に位置して軸部材を挿通保持する挿通部が、裏側において架橋部によって連結されていること。
（１３）架橋部はケースの裏蓋の外形に対応した凹形状部を有すること。
（１４）ケースの裏面には架橋部を沈める浚い部を有すること。
【０００８】
【発明の実施の形態】
（第１の実施の形態）
図２〜図４の各図は本発明の第１の実施の形態の構造を説明する図で、図２は上面（時計の表側）から見た分解斜視図、図３は下面（時計の裏側）から見た分解斜視図、図４は連結状態の下面図である。
【０００９】
各図において、ケース１のバンド取付部１１は内向きの軸孔１２を有し、これは軸部材５の各端部を保持する。軸部材５は通常は伸縮可能なバネ棒であるが、バンド取付部の外側から挿入されるピンや両外側から挿入される２本の短いネジ付き軸等であってもよい。先カン３および連結端部４はそれぞれ軸部材５を囲むほぼ円筒状をなす挿通部３０、４０を有し、連結部が組立てられるとき軸部材５がこれらに挿通される。先カン３はその表側部分３１と裏側にある抑え突起３３がケース１に当接して回り止めがなされ回動しない。連結端部４は先カン３の開口部３２の中で規制手段の許す範囲内で軸部材５の回りに回動し得る。本例における規制手段は、先カン３の挿通部３０の一方の内側に設けた凸部である規制突起３４と、連結端部４の挿通部４０の一方の端部に設けた切欠４５より成り、これらは連結部が組立てられたとき互いに入り組むように係合している。規制手段は先カン３の表側部分３１、および連結端部４の表側部分４１の背後（下側）にあることは自明である。
【００１０】
図５〜図９はいずれも上記本発明の第１の実施の形態の作動を説明する図であって、図５、図６は下面斜視図、図７、図８、図９は規制手段のある位置における軸部材に直角な断面図である。
【００１１】
図５は先カン側の規制突起３４の側面と連結端部側の切欠４５の側面とが当接して、連結端部４の更なるバンドの表側（矢印Ａ方向）への回転を阻止している状態を示している。図６は同じ視点から見て、連結端部側の切欠４５の幅が広いため、連結端部４のバンドの裏側（矢印Ｂ方向）への回転は許している状態を示している。図７は図５に対応しており、回動範囲の制限作用を断面的により端的に示している。いずれも軸部材５の周囲の円筒状部分に設けられた、先カン側の規制突起３４の左方の縁が連結端部側の切欠４５の右方の縁に当接して、連結端部４のバンドの表側（矢印Ａ方向）への回動を阻止し、その結果先カンの開口部３２と連結端部４との間に僅かな隙間６を残し、接触が防止されいる。図８はバンドの裏側（矢印Ｂ方向）への回動の途中の状態を示しており、図９はバンドの裏側（矢印Ｂ方向）への回動が先カン側の規制突起３４と連結端部４の内壁面とが当接して制限された状態を示している。裏側への回動範囲を制限するメリットは、腕から外してもバンドのループがつぶれないために展示の効果に優れ、腕に嵌めやすく、バンドの裏側に傷が生じることも表側と同様に防止可能なことである。
【００１２】
（第１の実施の形態の変形例）
図１０は第１の実施の形態の変形例の下面図である。本例では切欠４５が連結端部４他端まで延びてスリット状になっていることであり、作用的には上述の例と同等である。スリットの両端に先カン側の規制突起３４を２個対称的に設けることもできる。
【００１３】
（第２の実施の形態）
図１１は本発明の第２の実施の形態を下面側から見た分解斜視図、図１２は下面図である。本例では回動範囲を制限する規制手段である凹凸部の凹凸関係が先カン３と連結端部４との間で入れ代わっている。即ち連結端部４側の規制突起４４の側面と先カン３側の切欠３５の側面あるいは先カン３の内壁面とが規制作用を行うものである。
【００１４】
図１３〜１６は第２の実施の形態の作動を説明する図で、図１３、図１４は下面斜視図、図１５、図１６は規制手段における断面図である。
図１３および図１５はバンドの表側方向（矢印Ａ）への回動が連結端部４側の規制突起４４の一方の側面と先カン３側の切欠３５の一方の側面との当接によって規制された状態を示し、図１４および図１６はバンドの裏側方向（矢印Ｂ）への回動が連結端部４側の規制突起４４の他の側面と先カン３の内壁面との当接によって規制された状態を示している。
【００１５】
（本発明の第２の実施の形態の変形例）
図１７は本発明の第２の実施の形態の変形例の下面斜視図である。本例では規制突起４４と切欠３５が連結端部４の幅の両側にそれぞれ１対づつ設けられている。
【００１６】
（本発明の第３の実施の形態）
図１８は本発明の第３の実施の形態の要部の下面斜視図である。本例ではバンドの表側あるいは裏側いずれの方向への回動も、先カン３側の規制突起３４の各側面と連結端部４側の切欠４５の各側面との当接によって制限されている。
【００１７】
（本発明の第４の実施の形態）
図１９は本発明の第４の実施の形態の斜視図であり、図２０はその作動を説明する断面図である。本例では先カン３の開口部３２の付近に規制突起３４を設けて連結端部４の内部に入り組ませ、規制突起３４の各側面が連結端部４の長円形をなす上下の内壁面と当接することにより、バンドの表側および裏側方向への回動を規制するようにした。
【００１８】
（本発明の第５の実施の形態）
図２１は本発明の第５の実施の形態の下面分解斜視図、図２２は本例の下面図、図２３は本例の断面図である。
【００１９】
本例のバンドの回動規制の構造は既述の第１の実施の形態と同様であるが、本例の特徴は時計の裏側における先カンとケースの形状にある。先カン３の裏面部は既述例の２本の抑え突起に代えて１個の架橋部３７を設けてある。架橋部３７の軸部材５に沿った辺はケース１の裏蓋１３の外径に沿った形の凹形状部３８が与えられ、またケース１には架橋部３７を沈めて両者の下面の高さをほぼ揃えるための浚い部１４を設けてある。このような構成とすることにより、時計の裏側デザインをすっきりと整理させると共に手首への当たりを良くし、時計裏面の美観と装着感とを向上させている。本例の作動については第１の実施の形態と同様であるので説明を省略する。
【００２０】
本発明の技術は以上の各実施の形態に限定されるものではないことは勿論である。例えば回動の規制手段を連結端部とケースの一部との間に設ける構造も可能性が高く容易に実施可能である。また規制手段の当接面も板材から成る凹凸面の側面以外の部分を用いてもよい。
【００２１】
【発明の効果】
本発明においてはバンドの少なくとも表側への回動範囲を制限したことにより、携帯中や展示中のバンド表面の当たり傷の発生と拡大を防止し、時計の美観の低下の主な要因の１つをなくすことができた。
また、裏側への回動範囲をも制限する構造とすればバンドの裏側に傷が生じなくなりバンドのループがつぶれず展示効果に優れ、腕に嵌めやすい。
先カンと連結端部との当接により連結端部の回動範囲を制限する規制手段が腕時計の背後にあって、腕時計の携帯者には全く視認されない点が本発明の第１の利点である。これは、かかる規制手段を備えても、腕時計の携帯者が気がつくような腕時計の表側の外観変化をもたらさず、腕時計の美観を損ねないことを意味する。
かつ、かかる規制手段を構成する先カンと連結端部との当接の結果、先カンや連結端部が傷つこうとも、腕時計の携帯者には全く視認されない点が本発明の第２の利点である。なぜならば、先カンや連結端部における腕時計の背後に位置した部分のみが専ら傷つき、腕時計の表側に露出する部分には決して傷がつかないからである。これは、かかる規制手段を備えても、長期にわたり腕時計の外観を美しく保つことを保証する。
更に先カンに架橋部を設ければ時計の裏側デザインを向上させると共に手首への装着感を改善することができる。
【図面の簡単な説明】
【図１】従来例のバンド取り付け部の斜視図である。
【図２】本発明の第１の実施の形態の分解斜視図である。
【図３】本発明の第１の実施の形態の下面分解斜視図である。
【図４】本発明の第１の実施の形態の下面図である。
【図５】本発明の第１の実施の形態の作動を説明する下面斜視図である。
【図６】本発明の第１の実施の形態の作動を説明する下面斜視図である。
【図７】本発明の第１の実施の形態の作動を説明する断面図である。
【図８】本発明の第１の実施の形態の作動を説明する断面図である。
【図９】本発明の第１の実施の形態の作動を説明する断面図である。
【図１０】本発明の第１の実施の形態の変形例の下面図である。
【図１１】本発明の第２の実施の形態の下面分解斜視図である。
【図１２】本発明の第２の実施の形態の下面図である。
【図１３】本発明の第２の実施の形態の作動を説明する下面斜視図である。
【図１４】本発明の第２の実施の形態の作動を説明する下面斜視図である。
【図１５】本発明の第２の実施の形態の作動を説明する断面図である。
【図１６】本発明の第２の実施の形態の作動を説明する断面図である。
【図１７】本発明の第２の実施の形態の変形例の下面斜視図である。
【図１８】本発明の第３の実施の形態の下面斜視図である。
【図１９】本発明の第４の実施の形態の斜視図である。
【図２０】本発明の第４の実施の形態の作動を説明する断面図である。
【図２１】本発明の第５の実施の形態の下面分解斜視図である。
【図２２】本発明の第５の実施の形態の下面図である。
【図２３】本発明の第５の実施の形態の断面図である。
【符号の説明】
１  ケース
１１  バンド取付部
１２  軸孔
１３  裏蓋
１４  浚い部
２  バンド
２１  駒本体
２２  連結駒
３  先カン
３０  挿通部
３１  表側部分
３２  開口部
３３  抑え突起
３４  規制突起
３５  切欠
３７  架橋部
３８  凹形状部
４  連結端部
４０  挿通部
４１  表側部分
４４  規制突起
４５  切欠
５  軸部材
６  隙間
【図１】
0004115566.tif 000002
【図２】
0004115566.tif 000003
【図３】
0004115566.tif 000004
【図４】
0004115566.tif 000005
【図５】
0004115566.tif 000006
【図６】
0004115566.tif 000007
【図７】
0004115566.tif 000008
【図８】
0004115566.tif 000009
【図９】
0004115566.tif 000010
【図１０】
0004115566.tif 000011
【図１１】
0004115566.tif 000012
【図１２】
0004115566.tif 000013
【図１３】
0004115566.tif 000014
【図１４】
0004115566.tif 000015
【図１５】
0004115566.tif 000016
【図１６】
0004115566.tif 000017
【図１７】
0004115566.tif 000018
【図１８】
0004115566.tif 000019
【図１９】
0004115566.tif 000020
【図２０】
0004115566.tif 000021
【図２１】
0004115566.tif 000022
【図２２】
0004115566.tif 000023
【図２３】
0004115566.tif 000024